(57)【要約】【課題】熱水土壌消毒は、熱水発生装置と注入機と保温部より構成されており、放熱用温水管を敷設した温湯循環方式による方法、温水管を埋設して熱水を土壌に散水する方法、土壌の幅に合わせた穴の開いたパイプなどより熱水を垂れ流し浸透させる方法が採用されている。しかし、人力によるところが多く作業性が悪く、特に熱水注入のため危険性があり、機具の装着回収に時間と労力を要するなどの問題を有していた。【解決手段】ビニールハウスの空間に布設したレール移動する噴管吊り台により熱水を土壌に散水し、同時にシートも被覆しようとする装置とその使用方法である。【選択図】        図１
2005000102.tif 000002
【特許請求の範囲】
【請求項１】
ビニールハウス（２）のハウスキールパイプ（２Ｂ）と、ハウスキールパイプ（２Ｂ）に所定間隔に吊り下げたレールハンガー（３）と、レールハンガー（３）で支持されたレール（４）と、レール（４）に摺動自在に吊下げられた噴管吊り台（５）と、ホース受け滑車（６）と、熱水供給ホース（７）と、シート（８）と、シート保持台部（９）と、シート固定部（１０）から構成され、
噴管吊り台（５）は、レールの長手方向と直交方向で昇降自在の状態で支持された支持ブーム（５Ｄ）と、支持ブームに取付けられた噴管（５Ｅ）及び左右のシート固定部受け（５Ｆ、５Ｆ）から構成され、
熱水供給ホース（７）は、レールに取付けられたホース受け滑車（６）で支持され、一端はボイラ（７Ａ）に連結され、他端は噴管に連結され、
シート（８）は、処理を所望する地表面（２Ｃ）を覆うことのできる寸法で平面方形に構成され、
シート保持台部（９）は、地表面（２Ｃ）の後方辺に設置された保持台本体（９Ａ）と、シートが巻付けられたシート巻取りパイプ（９Ｂ）から構成され、
シート固定部（１０）は、基本枠（１０Ａ）と挟持板（１０Ｂ）から構成され、基本枠と挟持板はシートの先端を挟持固定するよう構成され、シート固定部（１０）をシート固定部受け（５Ｆ）に取付けるよう構成されていることを特徴とする土壌消毒用熱水散布保温装置。
【請求項２】
請求項１記載の土壌消毒用熱水散布保温装置において、シート固定部受け（５Ｆ）は、シート固定部（１０）を所望する時、落下させることができるよう構成されていることを特徴とする土壌消毒用熱水散布保温装置。
【請求項３】
請求項１あるいは請求項２記載の土壌消毒用熱水散布保温装置を用いて、下記の各工程から構成されていることを特徴とする土壌消毒用熱水散布保温装置の使用方法。
第１工程
噴管の位置を可能な限り、消毒すべき土壌表面に近付ける。
第２工程
噴管吊り台（５）を消毒すべき土壌のシート保持台部（９）側へ移動し、シート（８）をシート保持台部（９）にセットし、シート（８）の一端をシート固定部（１０）に固定する。
第３工程
噴管吊り台（５）を移動させながら、４０〜９５℃の熱水を散布すると同時にシートで被覆する。
第４工程
噴管吊り台（５）が予定範囲を走行処理したのち、熱水散布した土壌を被覆し保温状態のまま土壌を５０〜６０℃に数時間保つことにより土壌消毒を行う。
また、太陽熱を併用する場合は、土壌を３０〜４０℃に数日間保つことにより土壌消毒を行う。
第５工程
消毒完了後、シート保持台部（９）のシート巻取りパイプを逆転することによりシートを回収する。
【請求項４】
ビニールハウス（２）のハウスキールパイプ（２Ｂ）と、ハウスキールパイプ（２Ｂ）に所定間隔に吊り下げたレールハンガー（３）と、レールハンガー（３）で支持されたレール（４）と、レール（４）上に摺動自在に吊下げられた第１噴管吊り台（１２）と、ホース受け滑車（６）と、熱水供給ホース（７）と、シート（８）と、第１シート保持台部（１３）と、第１シート固定部（１４）から構成され、
レールハンガー（３）、レール（４）、ホース受け滑車（６）、熱水供給ホース（７）、シート（８）の構成は、請求項１記載の土壌消毒用熱水散布保温装置におけるレールハンガー（３）、レール（４）、ホース受け滑車（６）、熱水供給ホース（７）、シート（８）と同一に構成され、
第１噴管吊り台（１２）は、レールの長手方向と直交方向で昇降自在の状態で支持された支持ブーム（１２Ｄ）と、支持ブームに取付けられた噴管（１２Ｅ）から構成され、支持ブーム（１２Ｄ）には、側面略Ｌ字状のシート固定受け（１２Ｄ３）が取付けられ、
第１シート保持台部（１３）は、保持台本体（１３Ａ）と、シートが巻付けられたシート巻取りパイプ（１３Ｂ）から構成され、
第１シート固定部（１４）は、地表面（２Ｃ）の後方辺に左右方向をもって設置された基本枠（１４Ａ）と挟持板（１４Ｂ）から構成され、基本枠と挟持板はシートの後端を挟持固定するよう構成されていることを特徴とする土壌消毒用熱水散布保温装置。
【請求項５】
請求項４記載の土壌消毒用熱水散布保温装置を用いて、下記の各工程から構成されていることを特徴とする土壌消毒用熱水散布保温装置の使用方法。
第１工程
噴管の位置を可能な限り消毒すべき土壌表面に近付ける。
第２工程
第１噴管吊り台（１２）を消毒すべき土壌の第１シート固定部（１４）側へ移動し、シート（８）を第１シート保持台部（１３）にセットし、シート（８）の一端を第１シート固定部（１４）に固定する。
第３工程
第１噴管吊り台（１２）を移動させながら、４０〜９５℃の熱水を散布すると同時にシートで被覆する。
第４工程
第１噴管吊り台（１２）が予定範囲を走行処理したのち、熱水散布した土壌を被覆し保温状態のまま土壌を５０〜６０℃に数時間保つことにより土壌消毒を行う。
また、太陽熱を併用する場合は、土壌を３０〜４０℃に数日間保つことにより土壌消毒を行う。
第５工程
消毒完了後、第１シート保持台部（１３）のシート巻取りパイプを逆転することによりシートを回収する。
【発明の詳細な説明】
【０００１】
【発明の属する技術分野】
本発明は、新規な構成を有する土壌消毒用熱水散布保温装置とその使用方法に関するものである。
農業における施設園芸の温室栽培は季節と関係なく、野菜、果物の高品質、高付加値な作物を市場に供給しており、ますます盛んとなり増設されているが、その培地である土壌が連作による障害、病害菌により劣化しており、地力が低下しているため、良い作物を収穫することができなくなる。
この地力の回復を図るため、土壌の消毒を従来の農薬に依存することなく熱水にて消毒を行い、健全な土壌に回復するものである。
【０００２】
【従来の技術】
熱水土壌消毒は、熱水発生装置（ボイラ部）と注入機と保温部より構成されており、
１．放熱用温水管を敷設した温湯循環方式による方法。
２．温水管を埋設して熱水を土壌に散水する方法。
３．土壌の幅に合わせたパイプヘッダーから枝分けした穴の開いたパイプ及びホースより熱水を垂れ流し浸透させる方法。
【０００３】
【発明が解決しようとする課題】
従来の技術で述べたものにあっては、下記のような問題点を有していた。
上記方法によると、人力によるところが多く作業性が悪く、特に熱水注入のため危険性があり、機具の装着回収に時間と労力を要する。
【０００４】
本発明は、従来の技術の有するこのような問題点に鑑みなされたものであり、その目的とするところは、次のようなことのできるものを提供しようとするものである。
ビニールハウスの空間に布設したレール上にある噴管吊り台が遠隔操作により自由な速度で移動散水し、散水量も噴霧ノズルにより調整できる。
また、散水と並行して保温用のシートも被覆することができる。
遠隔操作であるため、スピード、水量、散水幅が調整でき均一であり、危険性がない。また、省力化が可能である。
【０００５】
【課題を解決するための手段】
上記目的を達成するために、本発明は下記のようになるものである。
すなわち、
請求項１記載の発明は、ビニールハウス２のハウスキールパイプ２Ｂと、ハウスキールパイプ２Ｂに所定間隔に吊り下げたレールハンガー３と、レールハンガー３で支持されたレール４と、レール４に摺動自在に吊下げられた噴管吊り台５と、ホース受け滑車６と、熱水供給ホース７と、シート８と、シート保持台部９と、シート固定部１０から構成され、
噴管吊り台５は、レールの長手方向と直交方向で昇降自在の状態で支持された支持ブーム５Ｄと、支持ブームに取付けられた噴管５Ｅ及び左右のシート固定部受け５Ｆ、５Ｆから構成され、
熱水供給ホース７は、レールに取付けられたホース受け滑車６で支持され、一端はボイラ７Ａに連結され、他端は噴管に連結され、
シート８は、処理を所望する地表面２Ｃを覆うことのできる寸法で平面方形に構成され、
シート保持台部９は、地表面２Ｃの後方辺に設置された保持台本体９Ａと、シートが巻付けられたシート巻取りパイプ９Ｂから構成され、
シート固定部１０は、基本枠１０Ａと挟持板１０Ｂから構成され、基本枠と挟持板はシートの先端を挟持固定するよう構成され、シート固定部１０をシート固定部受け５Ｆに取付けるよう構成されていることを特徴とするものである。
【０００６】
請求項２記載の発明は、請求項１記載の発明において、シート固定部受け５Ｆは、シート固定部１０を所望する時、落下させることができるよう構成されていることを特徴とするものである。
【０００７】
請求項３記載の発明は、請求項１あるいは請求項２記載の発明を用いて、下記の各工程から構成されていることを特徴とするものである。
第１工程（散布準備１）
噴管の位置を可能な限り、消毒すべき土壌表面に近付ける。
第２工程（散水準備２）
噴管吊り台５を消毒すべき土壌のシート保持台部９側へ移動し、シート８をシート保持台部９にセットし、シート８の一端をシート固定部１０に固定する。
第３工程（散水開始）
噴管吊り台５を移動させながら、４０〜９５℃の熱水を散布すると同時にシートで被覆する。
第４工程（散水終了、土壌消毒）
噴管吊り台５が予定範囲を走行処理したのち、熱水散布した土壌を被覆し保温状態のまま土壌を５０〜６０℃に数時間保つことにより土壌消毒を行う。
また、太陽熱を併用する場合は、土壌を３０〜４０℃に数日間保つことにより土壌消毒を行う。
第５工程（土壌消毒後の後片付け、他の作業への流用）
消毒完了後、シート保持台部９のシート巻取りパイプを逆転することによりシートを回収する。
【０００８】
請求項４記載の発明は、ビニールハウス２のハウスキールパイプ２Ｂと、ハウスキールパイプ２Ｂに所定間隔に吊り下げたレールハンガー３と、レールハンガー３で支持されたレール４と、レール４上に摺動自在に吊下げられた第１噴管吊り台１２と、ホース受け滑車６と、熱水供給ホース７と、シート８と、第１シート保持台部１３と、第１シート固定部１４から構成され、
レールハンガー３、レール４、ホース受け滑車６、熱水供給ホース７、シート８の構成は、請求項１記載の発明におけるレールハンガー３、レール４、ホース受け滑車６、熱水供給ホース７、シート８と同一に構成され、
第１噴管吊り台１２は、レールの長手方向と直交方向で昇降自在の状態で支持された支持ブーム１２Ｄと、支持ブームに取付けられた噴管１２Ｅから構成され、支持ブーム１２Ｄには、側面略Ｌ字状のシート固定受け１２Ｄ３が取付けられ、
第１シート保持台部１３は、保持台本体１３Ａと、シートが巻付けられたシート巻取りパイプ１３Ｂから構成され、
第１シート固定部１４は、地表面２Ｃの後方辺に左右方向をもって設置された基本枠１４Ａと挟持板１４Ｂから構成され、基本枠と挟持板はシートの後端を挟持固定するよう構成されていることを特徴とするものである。
【０００９】
請求項５記載の発明は、請求項４記載の発明を用いて、下記の各工程から構成されていることを特徴とするものである。
第１工程（散布準備１）
噴管の位置を可能な限り消毒すべき土壌表面に近付ける。
第２工程（散水準備２）
第１噴管吊り台１２を消毒すべき土壌の第１シート固定部１４側へ移動し、シート８を第１シート保持台部１３にセットし、シート８の一端を第１シート固定部１４に固定する。
第３工程（散水開始）
第１噴管吊り台１２を移動させながら、４０〜９５℃の熱水を散布すると同時にシートで被覆する。
第４工程（散水終了、土壌消毒）
第１噴管吊り台１２が予定範囲を走行処理したのち、熱水散布した土壌を被覆し保温状態のまま土壌を５０〜６０℃に数時間保つことにより土壌消毒を行う。
また、太陽熱を併用する場合は、土壌を３０〜４０℃に数日間保つことにより土壌消毒を行う。
第５工程（土壌消毒後の後片付け、他の作業への流用）
消毒完了後、第１シート保持台部１３のシート巻取りパイプを逆転することによりシートを回収する。
【００１０】
【発明の実施の形態】
以下、本発明の実施の形態を実施例にもとづき図面を参照して説明する。
１は第１発明の土壌消毒用熱水散布保温装置である。
第２発明は第１発明の土壌消毒用熱水散布保温装置１の使用方法である。
１１は第３発明の土壌消毒用熱水散布保温装置である。
第４発明は第３発明の土壌消毒用熱水散布保温装置１１の使用方法である。
【００１１】
２は公知の農業用のビニールハウス（温室）で、前後に配された正面略逆Ｕ字状のパイプ２Ａ、２Ａと、このパイプの頂部にパイプとは直交方向をもって配設されたハウスキールパイプ２Ｂからなるハウス用フレームに、透光性を有するシートを張設して構成されている。
２Ｃは処理を所望する地表面である。
この農業用のビニールハウス２内に、第１発明の土壌消毒用熱水散布保温装置１あるいは第３発明の土壌消毒用熱水散布保温装置１１が設置されている。
【００１２】
まず、第１発明の土壌消毒用熱水散布保温装置１について説明する。
そこで、この土壌消毒用熱水散布保温装置１は、ビニールハウス２のハウスキールパイプ２Ｂと、ハウスキールパイプ２Ｂに所定間隔に吊り下げたレールハンガー３と、レールハンガー３で支持されたレール４と、レール４に摺動自在に吊下げられた噴管吊り台５と、ホース受け滑車６と、熱水供給ホース７と、シート８（保温用）と、シート保持台部９と、シート固定部１０から構成されている。
【００１３】
Ａ．レールハンガー３は、上方のハウスキールパイプ２Ｂに対するパイプハンガー体３Ａと、パイプハンガー体３Ａに対して昇降自在に連結されたネジ棒３Ｂと、ネジ棒３Ｂの下端に昇降自在に連結されたレールハンガー体３Ｃから構成されている。
このパイプハンガー体３Ａは、縦長の細巾板の上端にハウスキールパイプ２Ｂに係脱するフック部３Ａ１を形成し、また、細巾板の下端に水平部３Ａ２が連設されている。
Ｂ．レール４は所定長さのパイプで構成され、レールハンガー体３Ｃにおける水平部３Ｃ１の上面に載置し、ボルト４Ａで固定されている。
【００１４】
Ｃ．噴管吊り台５は、縦板状の吊り下げ部５Ａと、吊り下げ部の下方に連結されたボックス５Ｂと、ボックス５Ｂの下面に連結された支持脚５Ｃと、支持脚の下端に連結された支持ブーム５Ｄと、噴管５Ｅと、左右のシート固定部受け５Ｆ、５Ｆから構成されている。
ａ．吊り下げ部５Ａの上端に断面逆Ｌ状の屈曲部５Ａ１、５Ａ１を連設し、屈曲部の下面には、レール４の上面に係止しながら回転する前後のローラー５Ａ２、５Ａ２を設けると共に、当該吊り下げ部の上方における前後のローラー間には落下防止板５Ａ３が設けられている。
ｂ．ボックス５Ｂ内にはローラー５Ａ２を正転あるいは逆転させるモーター（図示略）、モーターを作動させる制御盤５Ｂ１、スイッチが公知の方法で装着されている。
５Ａ４、５Ａ５は屈曲部５Ａ１の一方端と他方端に突設せしめたエンドリミッターとスタートリミッターで、これらはレール４の一端と他端に配設した当接板２Ａ１、２Ａ２に当接作動する。
ｃ．支持脚５Ｃは、噴管吊り台５の進行方向と直交する位置をもって左右対称に垂下させた角筒状の脚体５Ｃ１、５Ｃ１で構成され、脚体５Ｃ１の後面には高さ調整用の受穴（図示略）が適数個開設されている。
ｄ．支持ブーム５Ｄは、支持脚５Ｃにおける脚体５Ｃ１、５Ｃ１に昇降調整自在に装着した縦パイプ５Ｄ１、５Ｄ１と、縦パイプの下端後面に水平に固着された左右方向に長い所定寸法の角パイプでなる基本ブーム体５Ｄ２から構成されている。
５Ｄ３は支持脚５Ｃの高さ調整用の受穴と縦パイプ５Ｄ１とを連結するピンである。
ｅ．噴管５Ｅは、左右の噴管体５Ｅ１、５Ｅ１からなり、支持ブーム５Ｄの下面に添着支持され、下面には噴霧ノズル５Ｅ１１、５Ｅ１１．．が設けられている。
ｆ．シート固定部受け５Ｆは、固定部受け本体５Ｆ１とシリンダ５Ｆ２から構成され、固定部受け本体５Ｆ１は、噴管５Ｅを下面から当該噴管の長手方向と直交方向をもって遊嵌する湾曲板５Ｆ１１と、湾曲板の後端に後方に向け連設された固定部受け板５Ｆ１２と、固定部受け板の後端に上方に向け連設された縦受け５Ｆ１３と、湾曲板５Ｆ１１の前方部分を支持ブーム５Ｄの縦パイプ５Ｄ１の側壁に連結さする水平ピン５Ｆ１４から構成されている。
シリンダ５Ｆ２は、湾曲板５Ｆ１１の先端と支持ブーム５Ｄの縦パイプ５Ｄ１の側壁との間に配設されている。
この結果、シリンダの作用により水平ピンを支点にして固定部受け本体５Ｆ１を起伏させることができる。
【００１５】
Ｄ．ホース受け滑車６は、レール４の前端部分に係止固定した所定長さの細巾板６Ａと、この細巾板の下端にレール４の真下に位置する状態で取付けられた滑車６Ｂで構成されている。
Ｅ．熱水供給ホース７は、ホース受け滑車６で支持され、一端はボイラ７Ａに連結され、他端は分岐して左右の噴管体５Ｅ１、５Ｅ１に連結されている。
図中、７Ｂはポンプ、７Ｃはモーターのホースリールである。
【００１６】
Ｆ．シート８は、処理を所望する地表面２Ｃを覆うことのできる寸法で平面方形に構成されている。
このシート８としては、具体的には下記の素材のものが好適であった。
ポリエチレンフィルム（透明又は黒）又はアルミ蒸着フィルム。
【００１７】
Ｇ．シート保持台部９は、地表面２Ｃの後方辺に設置された保持台本体９Ａとシート巻取りパイプ９Ｂから構成され、保持台本体９Ａは、左右方向に長いベース板９Ａ１と、左右両端に起立連設された左右壁９Ａ２、９Ａ２と、右壁９Ａ２に内方面に向け正逆回転自在に支持された円錐状の右方駒９Ａ３と、左壁９Ａ２に内方面に向け回転自在の状態で支持された円錐状の左方駒９Ａ４から構成され、右方駒９Ａ３と左方駒９Ａ４は、シート８が巻付けられているシート巻取りパイプ９Ｂの両端を嵌合支持するよう構成されている。
なお、右方駒９Ａ３には正逆回転可能なモーターＭが付設されている。
左方駒９Ａ４には進退棒９Ａ４１が付設され、進退棒に巻付けたコイルスプリング９Ａ４２によって当該左方駒は内方に作用するよう構成されている。
Ｈ．シート固定部１０は、基本枠１０Ａと挟持板１０Ｂから構成され、基本枠１０Ａは、シート８の幅に相当する角棒１０Ａ１と、この角棒に所定間隔をもって前後方向に開設された受け穴１０Ａ２、１０Ａ２．．から構成されている。
挟持板１０Ｂは、基本枠１０Ａに対応する板１０Ｂ１と、この板の一方面に基本枠１０Ａの受け穴１０Ａ２に挿入するよう突設されたつめ１０Ｂ２、１０Ｂ２．．から構成され、基本枠１０Ａにシート８の始端部分を位置させた後、シート８を挟持板１０Ｂのつめ１０Ｂ２、１０Ｂ２．．で突き刺して受け穴１０Ａ２、１０Ａ２．．に挿入し、当該シートを固定するよう構成されている。
そして、シート固定部１０にシート８を一巻きした後、シート固定部受け５Ｆにおける固定部受け板５Ｆ１２上に載せ、シート固定部受け５Ｆに取付けるよう構成されている。
【００１８】
第２発明としての土壌消毒用熱水散布保温装置１の使用方法は、下記の各工程から構成されている。
第１工程（散布準備１）
噴霧ノズル５Ｅ１１の位置を可能な限り、消毒すべき土壌表面に近付く（１０〜２０ｃｍ）ように、基本ブーム体５Ｄ２を支持脚５Ｃに調整して取付ける。
ボイラ７Ａ、ポンプ７Ｂ、ホースリール７Ｃをホースで連結し、熱水供給ホース７の一端を分岐して左右の噴管体５Ｅ１、５Ｅ１に連結する。
スタートリミッター５Ａ５及びエンドリミッター５Ａ４用当接板位置を、消毒する土壌範囲に合わせて設定する。
第２工程（散水準備２）
噴管吊り台５を消毒すべき土壌の片側（シート保持台部９側）へ移動する。
（スタートリミッター５Ａ５が当接板２Ａ２に当たるまで走行させる。）
シート８をシート保持台部９にセットし、シート８の一端をシート固定部１０に固定する。
噴管吊り台５の走行スピードを散水量が１５０〜２００Ｌ／ｍ２  になるように１５〜２０ｃｍ／分に設定する。
ボイラ７Ａの温度を４０〜９５℃になるように設定する。
ホースリール７Ｃの巻取りスピード及びシート送りスピードが噴管吊り台５の走行スピードに同期するように設定する。
第３工程（散水開始）
噴管吊り台５がスタートすると同時にポンプ７Ｂを作動し熱水の送水及びホース巻取り、シート送りを開始して、４０〜９５℃の熱水を散布すると同時にシートで被覆する。
第４工程（散水終了、土壌消毒）
噴管吊り台５が予定範囲を走行し、エンドリミッター５Ａ４が当接板２Ａ１に当り終了信号を出し、噴管吊り台５が走行停止すると同時にボイラ７Ａ、ポンプ７Ｂの停止、ホースリールモーター、シート送りモーターＭを停止する。
また、終了信号によりシリンダ５Ｆ２を動作させて、シート固定部１０を落下させ、熱水散布した土壌を完全に被覆して保温状態にし、土壌を５０〜６０℃に数時間保つことにより土壌消毒を行う。
なお、太陽熱を併用する場合は、土壌を３０〜４０℃に数日間保つことにより土壌消毒を行う。
第５工程（土壌消毒後の後片付け、他の作業への流用）
消毒完了後、シート保持台部９のモーターを逆転することによりシート８を効率よく回収でき、さらに他の消毒地で再使用可能となる。
ボイラ７Ａに接続したホースを水のタンクあるいは液体肥料のタンクや防除剤のタンクに接続することにより、水の散布、液体肥料の散布、防除剤の噴霧装置として使用することができる。
噴管吊り台５より支持ブーム５Ｄを外し、籠などを吊り下げることにより収穫した野菜などを運搬するモノレール式運搬装置として使用可能である。
【００１９】
ついで、第３発明の土壌消毒用熱水散布保温装置１１について説明する。
この土壌消毒用熱水散布保温装置１１は、上記ビニールハウス２のハウスキールパイプ２Ｂと、ハウスキールパイプ２Ｂに所定間隔に吊り下げたレールハンガー３と、レールハンガー３で支持されたレール４と、レール４上に摺動自在に吊下げられた第１噴管吊り台１２と、ホース受け滑車６と、熱水供給ホース７と、シート８（保温用）と、第１シート保持台部１３と、第１シート固定部１４から構成されている。
【００２０】
Ａ．レールハンガー３、レール４、ホース受け滑車６、熱水供給ホース７、シート８の構成は、第１発明の土壌消毒用熱水散布保温装置１におけるレールハンガー３、レール４、ホース受け滑車６、熱水供給ホース７、シート８の構成と同一である。
【００２１】
Ｂ．第１噴管吊り台１２は、縦板状の吊り下げ部１２Ａと、吊り下げ部の下方に連結されたボックス１２Ｂと、このボックス１２Ｂの下面に連結された支持脚１２Ｃと、支持脚の下端に連結された支持ブーム１２Ｄと、噴管１２Ｅから構成されている。
ａ．吊り下げ部１２Ａの上端に断面逆Ｌ状の屈曲部１２Ａ１、１２Ａ１を連設し、屈曲部の下面には、レール４の上面に係止しながら回転する前後のローラー１２Ａ２、１２Ａ２を設けると共に、当該吊り下げ部の上方における前後のローラー間には落下防止板１２Ａ３が設けられている。
ｂ．ボックス１２Ｂ内にはローラー１２Ａ２を正転あるいは逆転させるモーター（図示略）、このモーターを作動させる制御盤１２Ｂ１、スイッチが公知の方法で装着されている。
１２Ａ４、１２Ａ５は屈曲部１２Ａ１の一方端と他方端に突設せしめたエンドリミッターとスタートリミッターで、これらはレール４の一端と他端に配設した当接板１２Ａ６、１２Ａ７に当接作動する。
ｃ．支持脚１２Ｃは、第１噴管吊り台１２の進行方向と直交する位置をもって左右対称に垂下させた角筒状の脚体１２Ｃ１、１２Ｃ１で構成され、脚体１２Ｃ１の後面には高さ調整用の受穴（図示略）が適数個開設されている。
ｄ．支持ブーム１２Ｄは、支持脚１２Ｃにおける左右の脚体１２Ｃ１、１２Ｃ１に昇降自在に装着した縦パイプ１２Ｄ１、１２Ｄ１と、縦パイプの下端後面に水平に固着された左右方向に長い所定寸法の角パイプでなる基本ブーム体１２Ｄ２と、基本ブーム体１２Ｄ２の背面下辺に所定間隔をもって後方に向け連設された側面略Ｌ字状のシート固定受け１２Ｄ３から構成されている。
１２Ｄ４は支持脚の高さ調整用の受穴と縦パイプを連結するピンである。
ｅ．噴管１２Ｅは、左右の噴管体１２Ｅ１、１２Ｅ１からなり、支持ブーム１２Ｄの下面に添着支持され、下面には噴霧ノズル１２Ｅ１１、１２Ｅ１１．．が設けられている。
【００２２】
Ｃ．第１シート保持台部１３は、保持台本体１３Ａとシート巻取りパイプ１３Ｂから構成され、保持台本体１３Ａは、支持ブーム１２Ｄにおけるシート固定受け１２Ｄ３に挿入自在に構成された左右方向に長い横角材１３Ａ１と、横角材の両端に後方に向け連設された左右壁１３Ａ２、１３Ａ２と、右壁１３Ａ２に内方面に向け正逆回転自在に支持された円錐状の右方駒１３Ａ３と、左壁１３Ａ２に内方面に向け回転自在の状態で支持された円錐状の左方駒１３Ａ４から構成され、右方駒１３Ａ３と左方駒１３Ａ４は、シート８が巻付けられているシート巻取りパイプ１３Ｂの両端を嵌合支持するよう構成されている。
なお、右方駒１３Ａ３には正逆回転可能なモーターＭが付設されている。
左方駒１３Ａ４には進退棒１３Ａ４１が付設され、進退棒に巻付けたコイルスプリング１３Ａ４２によって当該左方駒は内方に作用するよう構成されている。
【００２３】
Ｄ．第１シート固定部１４は、地表面２Ｃの後方辺に左右方向をもって設置された基本枠１４Ａと挟持板１４Ｂから構成され、基本枠１４Ａは、シート８の幅に相当する角棒１４Ａ１と、角棒に所定間隔をもって上下方向に開設された受け穴１４Ａ２、１４Ａ２．．から構成されている。
挟持板１４Ｂは、基本枠１４Ａに対応する板１４Ｂ１と、板の一方面に基本枠１４Ａの受け穴１４Ａ２、１４Ａ２．．に挿入するよう突設されたつめ１４Ｂ２、１４Ｂ２．．から構成され、基本枠１４Ａにシート８の始端部分を位置させた後、シート８を挟持板１４Ｂのつめ１４Ｂ２、１４Ｂ２．．で突き刺して受け穴１４Ａ２、１４Ａ２．．に挿入し、当該シートを固定するよう構成されている。
【００２４】
第４発明としての土壌消毒用熱水散布保温装置１１の使用方法は、下記の各工程から構成されている。
第１工程（散布準備１）
噴霧ノズル１２Ｅ１１の位置を可能な限り消毒すべき土壌表面に近付く（１０〜２０ｃｍ）ように、基本ブーム体１２Ｄ２を支持脚１２Ｃに調整して取付ける。
ボイラ７Ａ、ポンプ７Ｂ、ホースリール７Ｃをホースで連結し、熱水供給ホース７の一端を分岐して左右の噴管体１２Ｅ１、１２Ｅ１に連結する。
スタートリミッター１２Ａ５及びエンドリミッター１２Ａ４用当接板位置を消毒する土壌範囲に合わせて設定する。
第２工程（散水準備２）
第１噴管吊り台１２を消毒すべき土壌の片側（第１シート固定部１４側）へ移動する。
（スタートミッター１２Ａ５が当接板１２Ａ７に当たるまで走行させる。）
シート８を第１シート保持台部１３にセットし、シート８の一端を第１シート固定部１４に固定する。
第１噴管吊り台１２の走行スピードを散水量が１５０〜２００Ｌ／ｍ２  になるように１５〜２０ｃｍ／分に設定する。
ボイラの７Ａの温度を４０〜９５℃になるように設定する。
ホースリール７Ｃの巻取りスピード及びシート送りスピードが第１噴管吊り台１２の走行スピードに同期するように設定する。
第３工程（散水開始）
第１噴管吊り台１２がスタートすると同時にポンプ７Ｂを作動し、熱水の送水及びホース巻取り、シート送りを開始して、４０〜９５℃の熱水を散布すると同時にシートで被覆する。
第４工程（散水終了、土壌消毒）
第１噴管吊り台１２が予定範囲を走行し、エンドリミッター１２Ａ４が当接板１２Ａ６に当り終了信号を出し、第１噴管吊り台１２が走行停止すると同時に、ボイラ７Ａ、ポンプ７Ｂの停止及びホースリールモーターを停止する。
また、終了信号によりシート送りモーターＭを数回転動作させシート８をたるませ、熱水散布した土壌を完全に被覆して保温状態にし、土壌を５０〜６０℃に数時間保つことにより土壌消毒を行う。
なお、太陽熱を併用する場合は、土壌を３０〜４０℃に数日間保つことにより土壌消毒を行う。
第５工程（土壌消毒後の後片付け、他の作業への流用）
消毒完了後、第１シート保持台部１３のモーターを逆転することによりシート８を効率よく回収でき、さらに他の消毒地で再使用可能となる。
ボイラ７Ａに接続したホースを水のタンクあるいは液体肥料のタンクや防除剤のタンクに接続することにより、水の散布、液体肥料の散布、防除剤の噴霧装置として使用することができる。
第１噴管吊り台１２より支持ブーム１２Ｄを外し、籠などを吊り下げることにより収穫した野菜などを運搬するモノレール式運搬装置として使用可能である。
【００２５】
【実施例】
さらに、以下のような条件で実験した結果、極めて良好な結果が得られた。
散水温度〜８５℃
散水量〜２００Ｌ／ｍ２
保温時間〜地温５０℃で３時間保温
【００２６】
【発明の効果】
本発明は、上述の通り構成されているので次に記載する効果を奏する。
１．第１発明、第２発明の効果
従来の技術では人力による作業（放熱用温水管の埋設・回収、シートの土壌への被覆・回収、パイプヘッダーの設置・回収など）が多く作業性が悪いと共に、熱水注入のため危険性があり、機具の装着回収に時間と労力を要した。
すなわち、
Ａ．ビニールハウスの空間に布設したレール上にある噴管吊り台を利用することにより、遠隔操作で移動散水し、散水量も噴霧ノズルにより調整できるため危険性が無く安全である。
また、機具の装着回収なども少なく省力化できる。
Ｂ．熱水を散水すると同時にシートを自動的に土壌に被覆するため、作業が簡略化され省力できる。また、土壌消毒完了後、シートを自動的に巻取るためさらに省力できる。
Ｃ．土壌消毒のための熱水散水だけでなく、通常のビニールハウスの空間に布設したレール上の散水装置として利用することができるため、育苗のための水の散布、液体肥料の散布、防除剤の噴霧、農業資材・収穫物の運搬装置などの多目的装置として提供できるため経済的効果がある。
さらに、既設の散水装置のホースを熱水用ホースに交換する程度で使用可能なため経済的である。
【００２７】
２．第３発明、第４発明の効果
従来の技術では人力による作業（放熱用温水管の埋設・回収、シートの土壌への被覆・回収、パイプヘッダーの設置・回収など）が多く作業性が悪いと共に、熱水注入のため危険性があり、機具の装着回収に時間と労力を要した。
すなわち、
Ａ．ビニールハウスの空間に布設したレール上にある第１噴管吊り台を利用することにより、遠隔操作で移動散水し、散水量も噴霧ノズルにより調整できるため危険性が無く安全である。
また、機具の装着回収なども少なく省力化できる。
Ｂ．熱水を散水すると同時に、シートを自動的に土壌に被覆するため、作業が簡略化され省力できる。また、土壌消毒完了後、シートを自動的に巻取るためさらに省力できる。
Ｃ．第１発明、第２発明の場合は、シートを引きずりながら走行するため、シートと土壌表面の抵抗が大きくなり走行距離が制限される場合があるが、第３発明、第４発明の場合は、シートと土壌表面の抵抗は発生しないため、ビニールハウスの長さが１００ｍと長い場合でも有効である。
Ｄ．土壌消毒のための熱水散水だけでなく、通常のビニールハウスの空間に布設したレール上の散水装置として利用することができるため、育苗のための水の散布、液体肥料の散布、防除剤の噴霧、農業資材・収穫物の運搬装置などの多目的装置として提供できるため経済的効果がある。
さらに、既設の散水装置のホースを熱水用ホースに交換する程度で使用可能なため経済的である。
【図面の簡単な説明】
【図１】第１発明の全体の略図的斜視図である。
【図２】レールハンガーの要部拡大側面図である。
【図３】Ａ−Ａ線断面図である。
【図４】噴管吊り台の要部拡大側面図である。
【図５】Ｂ−Ｂ線断面図である。
【図６】ホース受け滑車を説明する縦断面図である。
【図７】噴管吊り台における支持ブームなどを中心に見た分解斜視図である。
【図８】同上における要部拡大図である。
【図９】シート保持台部の一部を切欠いた拡大背面図である。
【図１０】シート固定部の分分解斜視図である。
【図１１】シート固定部の使用状態を示す分分解斜視図である。
【図１２】シート固定部の支持状態を説明する右側面図である。
【図１３】シート固定部の作用を説明する右側面図である。
【図１４】第１発明の使用状態を示す略図的側面図である。
【図１５】第３発明の全体の略図的斜視図である。
【図１６】レールハンガーの要部拡大側面図である。
【図１７】Ｃ−Ｃ線断面図である。
【図１８】第１噴管吊り台の要部拡大側面図である。
【図１９】Ｄ−Ｄ線断面図である。
【図２０】ホース受け滑車を説明する縦断面図である。
【図２１】第１噴管吊り台における支持ブームなどを中心に見た分解斜視図である。
【図２２】第１シート保持台部の支持状態を示す右側面図である。
【図２３】第１シート保持台部の支持状態を中心に見た分分解斜視図である。
【図２４】第１シート保持台部における一部を切欠いた拡大背面図である。
【図２５】第１シート固定部の使用状態を示す分分解斜視図である。
【図２６】第３発明の使用状態を示す略図的側面図である。
【符号の説明】
１  第１発明の土壌消毒用熱水散布保温装置
２  ビニールハウス
２Ｂ  ハウスキールパイプ
３  レールハンガー
４  レール
５  噴管吊り台
６  ホース受け滑車
７  熱水供給ホース
８  シート
９  シート保持台部
１０  シート固定部
１１  第３発明の土壌消毒用熱水散布保温装置
１２  第１噴管吊り台
１３  第１シート保持台部
１４  第１シート固定部
【図１】
2005000102.tif 000003
【図２】
2005000102.tif 000004
【図３】
2005000102.tif 000005
【図４】
2005000102.tif 000006
【図５】
2005000102.tif 000007
【図６】
2005000102.tif 000008
【図７】
2005000102.tif 000009
【図８】
2005000102.tif 000010
【図９】
2005000102.tif 000011
【図１０】
2005000102.tif 000012
【図１１】
2005000102.tif 000013
【図１２】
2005000102.tif 000014
【図１３】
2005000102.tif 000015
【図１４】
2005000102.tif 000016
【図１５】
2005000102.tif 000017
【図１６】
2005000102.tif 000018
【図１７】
2005000102.tif 000019
【図１８】
2005000102.tif 000020
【図１９】
2005000102.tif 000021
【図２０】
2005000102.tif 000022
【図２１】
2005000102.tif 000023
【図２２】
2005000102.tif 000024
【図２３】
2005000102.tif 000025
【図２４】
2005000102.tif 000026
【図２５】
2005000102.tif 000027
【図２６】
2005000102.tif 000028